(57)【要約】【課題】  石炭からできる限り少ない水の量で収率よく燃料油を製造する方法を提供する。【解決手段】  石炭原料を液化して燃料オイルを製造する石炭からの燃料オイルの製造方法は次の工程：（ａ）石炭を熱分解炉に投入し、熱分解炉に８００〜１０００℃の過熱水蒸気を前記炭素含有量および水分含有量に基づいて炭素と水のモル比が１：１〜１：３となるように添加しながら９００℃から１８５０℃の温度で酸素またはエアを吹込みながら１．３〜７Ｍｐａの圧力で発生する熱分解ガスにおける水素ガスと炭化水素のガスとの容量比が１：９〜４：６となるように調整して熱分解し、発生したガスを精製し、精製したガスを水性成分と、水素を含む粗製炭化水素成分とに分離し、分離された粗製炭化水素を混在する水素により水添分解した後に粗製炭化水素を精製する工程を含む【選択図】図３
2016148009.tif 000002
【特許請求の範囲】
【請求項１】
石炭原料を液化して燃料オイルを製造する石炭からの燃料オイルの製造方法であって、次の工程：
（ａ）  微粉砕された原料となる石炭を熱分解炉に投入し、前記熱分解炉に８００〜１０００℃の過熱水蒸気を前記炭素含有量および水分含有量に基づいて炭素と水のモル比が１：１〜１：３となるように添加しながら９００℃から１８５０℃の温度で酸素またはエアを吹込みながら１．３〜７Ｍｐａの圧力で発生する熱分解ガスにおける水素ガスと炭化水素のガスとの容量比が１：９〜４：６となるように調整して熱分解する熱分解工程と、
（ｂ）  前記熱分解により発生したガスを精製するガス精製工程と、
（ｃ）  前記精製したガスを水性成分と、水素を含む粗製炭化水素成分とに分離するガス分離工程と、
（ｄ）  工程（ｃ）で分離された粗製炭化水素を混在する水素により水添分解する工程と、
（ｅ）  工程（ｅ）で水添分解された粗製炭化水素を精製する工程と、
を含むことを特徴とする石炭からの燃料オイルの製造方法。
【請求項２】
前記工程（ｃ）に引き続いて工程
（ｃ−１）水素を含む粗製炭化水素から水素を分離する工程を含むことを特徴とする請求項１に記載の燃料オイルの製造方法。
【請求項３】
前記熱分解を酸素の存在下複数対のプラズマ発生装置によりプラズマを発生されるプラズマ溶融炉内で行うことを特徴とする請求項１または請求項２に記載の燃料オイルの製造方法。
【請求項４】
前記複数対のプラズマ発生装置のＯＮ／ＯＦＦにより熱分解温度を調整することを特徴とする請求項３に記載の燃料オイルの製造方法。
【請求項５】
前記工程（ｃ）で分離された水性成分を水処理して前記過熱水蒸気の水源として用いることを特徴とする請求項１から請求項４のいずれか１項に記載の燃料オイルの製造方法。
【請求項６】
請求項１から請求項５に記載の燃料オイルの製造方法を実施するための燃料オイル製造システムであって、
原料となる石炭の投入口と熱分解ガスの排出口と熱分解残渣の排出口とエアまたは酸素導入口を有する９００℃から１８５０℃に加熱可能な熱分解装置と、
前記熱分解装置に気密に接続され８００〜１０００℃の過熱水蒸気を供給するための過熱水蒸気発生装置と、
前記熱分解装置からの熱分解ガスから有害物質を除去するための気体精製装置と、
前記気体精製装置で有害物質が除去された熱分解ガスを水性成分と水素を含む粗製炭化水素成分とに分離するガス分離装置と、
前記粗製炭化水素を前記粗製ガス炭化水素中に含まれる水素により水添分解する水添分解装置と、
前記水添分解装置により処理された粗製炭化水素を精製するオイル精製装置と
を備えたことを特徴とする燃料オイル製造システム。
【請求項７】
前記熱分解装置が酸素の存在下複数対のプラズマ発生装置によりプラズマを発生されるプラズマ溶融炉であることを特徴とする請求項６に記載の燃料オイルの製造システム。
【請求項８】
前記複数対のプラズマ発生装置のＯＮ／ＯＦＦにより熱分解温度を調整することを特徴とする請求項７に記載の燃料オイルシステム。
【請求項９】
前記ガス分離装置からの水性成分を前記過熱水蒸気発生装置の水源として貯留する貯留タンクを有することを特徴とする請求項６から請求項８のいずれか１項に記載の燃料オイルシステム。
【請求項１０】
さらに前記水素を含む粗製炭化水素を水素と粗製炭化水素とに分離する分離装置と、前記分離した水素を貯留する水素タンクとを備え、
前記水素タンクから前記水添分解装置に所望量の水素を供給することを特徴とする請求項６から請求項９のいずれか１項に記載の燃料オイルシステム。
【発明の詳細な説明】
【技術分野】
【０００１】  本発明は、石炭からの燃料オイルの製造方法および製造システムに関する。より詳しく述べると、水の使用量を最小限に抑えて収率よく石炭から燃料オイルを製造する方法およびシステムに関する。
【背景技術】
【０００２】  石炭の液化は固体燃料である石炭を灰分、硫黄分を除去したクリーンで取り扱い易い液体燃料に転換することによって幅広い利用を可能にするものである。
石炭の液化・ガス化は高分子有機化合物の低分子化を行うことである。固体質石炭は、主として炭素、水素および酸素等の多数の原子で構成されているが、原子間結合の弱い−ＣＨ２−結合部を切断すると、六角形の芳香環２〜４個からなる石炭液化油ができることになる。結合を切断する主な力は、熱エネルギであることから、液化反応には４００〜４５０℃の温度を必要とする。【０００３】  石炭を液化する方法として、石炭と溶剤を混合して調製したスラリに、高温、高圧下で触媒の存在下あるいは非存在下において水素を添加させて水素化分解を行い、軽質油、中質油、重質油等の液化油を製造する方法が知られている。例えば、特許文献１（特開平７−３０５０７１号公報）には、微粉砕した石炭を石炭液化用溶剤、石炭液化用触媒と混合してスラリ化した後、水素存在下で高温、高圧の運転条件で液化し、得られた液化油のうち、中質油留分の一部とまたは全部と重質油を溶剤水素化工程で水素化処理し、得られる水素化溶剤を前記の石炭液化用溶剤として循環使用する方法が開示されている。【０００４】  また、石炭を液化する際にフィッシャー・トロプシュ法（ＦＴ法）がしばしば用いられている。ＦＴ法は、天然ガス（メタン）、石炭、バイオマスを一酸化炭素と水素の混合ガスに転化して、石油を化学合成するのに広く使われる方法である。この方法は、主に下記の３段階の製造工程からなる。
１．水蒸気改質工程：天然ガスのような原料ガスを一度、合成ガス（一酸化炭素と水素）に転換する。
２．ＦＴ合成工程：ＦＴ法によって炭素同士をチェーン状に繋ぐ。
３．水素化分解・蒸留工程：長い炭素のチェーンを水素化によって必要な長さに切断し、断片を蒸留によって長さごとに分ける【０００５】  この方法として、例えば特許文献２には、熱分解ガスから、Ｈ２ガスとＣＯガスを別個に選択分離するガス分離器と、そのＨ２ガスとＣＯガスを各々別個に貯蔵する貯蔵タンクと、各ガスを一定の流量比に保つ弁及び調節装置と、このガスを重合反応させる触媒反応器を有する液状炭化水素を合成する液状油製造装置が開示され、熱分解炉から発生した８００℃〜１２００℃の熱分解ガスにより、同炉に吹き込む水蒸気を６５０℃〜８００℃に加熱する蒸気加熱器と蒸気タンクの低部より凝縮水を加熱すると同時に熱分解ガスを３５０℃まで冷却する分解ガス冷却器を有することが開示されている。
【先行技術文献】
【０００６】
【特許文献１】  特開平７−３０５０７１号公報
【特許文献２】  特開２０１０−２４８４５９号公報
【発明の概要】
【発明が解決しようとする課題】
【０００７】  しかしながら、特許文献１の方法ではスラリ化するのに多量の水を使用することとなり、特許文献２の方法では、ＦＴ合成を使用するので多大なエネルギを必要とすることに加えて、収率が非常に悪くなるという欠点を有している。また、特許文献２に記載の方法で収率よく燃油を得るためには多量の水を使用する必要がある。【０００８】  したがって、本発明の課題は、石炭からできる限り少ない水の量で収率よく燃料油を製造する方法およびシステムを提供することである。
【課題を解決するための手段】
【０００９】  上記課題を解決する本発明は、次の各項目に関する。
（１）  石炭原料を液化して燃料オイルを製造する石炭からの燃料オイルの製造方法であって、次の工程：
（ａ）  微粉砕された原料となる石炭を熱分解炉に投入し、前記熱分解炉に８００〜１０００℃の過熱水蒸気を前記炭素含有量および水分含有量に基づいて炭素と水のモル比が１：１〜１：３となるように添加しながら９００℃から１８５０℃の温度で酸素またはエアを吹込みながら１．３〜７Ｍｐａの圧力で発生する熱分解ガスにおける水素ガスと炭化水素のガスとの容量比が１：９〜４：６となるように調整して熱分解する熱分解工程と、
（ｂ）  前記熱分解により発生したガスを精製するガス精製工程と、
（ｃ）  前記精製したガスを水性成分と、水素を含む粗製炭化水素成分とに分離するガス分離工程と、
（ｄ）  工程（ｃ）で分離された粗製炭化水素を混在する水素により水添分解する工程と、
（ｅ）  工程（ｅ）で水添分解された粗製炭化水素を精製する工程と、
を含むことを特徴とする石炭からの燃料オイルの製造方法。【００１０】（２）  前記工程（ｃ）に引き続いて工程
（ｃ−１）水素を含む粗製炭化水素から水素を分離する工程を含むことを特徴とする（１）に記載の燃料オイルの製造方法。【００１１】（３）  前記熱分解を酸素の存在下複数対のプラズマ発生装置によりプラズマを発生されるプラズマ溶融炉内で行うことを特徴とする（１）または（２）に記載の燃料オイルの製造方法。【００１２】（４）  前記複数対のプラズマ発生装置のＯＮ／ＯＦＦにより熱分解温度を調整することを特徴とする（３）に記載の燃料オイルの製造方法。【００１３】（５）  前記工程（ｃ）で分離された水性成分を水処理して前記過熱水蒸気の水源として用いることを特徴とする（１）から（４）のいずれか１項に記載の燃料オイルの製造方法。【００１４】（６）  （１）から（６）に記載の石炭原料を液化して燃料オイルを製造する石炭から燃料オイルを製造するための燃料オイル製造システムであって、
原料となる石炭の投入口と熱分解ガスの排出口と熱分解残渣の排出口とエアまたは酸素導入口を有する９００℃から１８５０℃に加熱可能な熱分解装置と、
前記熱分解装置に気密に接続され８００〜１０００℃の過熱水蒸気を供給するための過熱水蒸気発生装置と、
前記熱分解装置からの熱分解ガスから有害物質を除去するための気体精製装置と、
前記気体精製装置で有害物質が除去された熱分解ガスを水性成分と水素を含む粗製炭化水素成分とに分離するガス分離装置と、
前記粗製炭化水素を前記粗製ガス炭化水素中に含まれる水素により水添分解する水添分解装置と、
前記水添分解装置により処理された粗製炭化水素を精製するオイル精製装置と
を備えたことを特徴とする燃料オイル製造システム。【００１５】（７）  前記熱分解装置が酸素の存在下複数対のプラズマ発生装置によりプラズマを発生されるプラズマ溶融炉であることを特徴とする（６）に記載の燃料オイルの製造システム。【００１６】（８）  前記複数対のプラズマ発生装置のＯＮ／ＯＦＦにより熱分解温度を調整することを特徴とする（７）に記載の燃料オイルシステム。【００１７】（９）  前記ガス分離装置からの水性成分を前記過熱水蒸気発生装置の水源として貯留する貯留タンクを有することを特徴とする（６）から（８）のいずれか１項に記載の燃料オイルシステム。【００１８】（１０）  さらに前記水素を含む粗製炭化水素を水素と粗製炭化水素とに分離する分離装置と、前記分離した水素を貯留する水素タンクとを備え、
前記水素タンクから前記水添分解装置に所望量の水素を供給することを特徴とする（６）から（９）のいずれか１項に記載の燃料オイルシステム。
【発明の効果】
【００１９】  本発明の燃料オイルの製造方法は、石炭原料を液化して燃料オイルを製造する石炭からの燃料オイルの製造方法において、微粉砕された原料となる石炭を熱分解炉に投入し、前記熱分解炉に８００〜１０００℃の過熱水蒸気を前記炭素含有量および水分含有量に基づいて炭素と水のモル比が１：１〜１：３となるように添加しながら９００℃から１８５０℃の温度で酸素またはエアを吹込みながら１．３〜７Ｍｐａの圧力で発生する熱分解ガスにおける合成ガスと炭化水素由来のガスとの容量比が１：９〜４：６となるように調整して熱分解を行うので、炭素の熱分解反応により石炭が液化・ガス化して所定分子量の炭化水素に転化する。一方、上記条件の反応により合成ガスとして、水素、一酸化炭素を含む合成ガスが発生する。この粗製ガスと合成ガスとの比率が所定範囲となるように熱分解条件を整えることによって、後の工程の水添分離反応により少量も水の使用量で収率よく所望の燃料オイルを製造することが可能となる。しかも、外部から水素を供給することなく石炭の燃料化が行えるので非常に経済的である。【００２０】  本発明の燃料オイルの製造システムは、本発明の燃料オイルの製造方法を具現化するシステムであって、熱分解装置内で石炭を液化・ガス化して粗製炭化水素に転化するとともに粗製炭化水素に対して後段の記水添分解装置により水添分解反応を効率よく行うことができる。また、外部から水素を供給することなく石炭の燃料化が行えるので非常に経済的である。
【図面の簡単な説明】
【００２１】
【図１】  本発明の燃料オイルの製造システムの一例を示す図面である。
【図２】  本発明の燃料オイルの製造方法を示すフローチャートである。
【図３】  図１に示す熱分解処理により発生した熱分解ガスを示す概念図である。
【図４】  本発明の燃料オイルの製造システムの別の一例を示す図面である。
【発明を実施するための形態】
【００２２】  以下、本発明の実施態様を添付図面に基づいて説明する。
まず、図１から図３に基づいて本発明の第１の実施形態を説明する。なお、以下の説明では、熱分解装置として複数対のプラズマ発生装置を備えた熱分解炉を用いるが本発明は同等の機能を備えた熱分解装置であれば、これに限定されるものではない。
【００２３】  図１に示す通り、本発明の燃料オイル製造システム１００は、石炭原料を液化して燃料オイルを製造する石炭から燃料オイルを製造するための燃料オイル製造システムであって、原料となる石炭を投入するための原料投入口１１と発生した熱分解ガスを排出する熱分解ガス排出口１２と熱分解残渣を排出する残渣排出口１３と図示しないエアまたは酸素導入口を有する９００℃から１８５０℃に加熱可能な熱分解装置と、前記熱分解装置に気密に接続され８００〜１０００℃の過熱水蒸気を供給するための過熱水蒸気発生装置２０と、前記熱分解装置からの熱分解ガスから有害物質を除去するための気体精製装置３０と、気体精製装置３０で有害物質が除去された熱分解ガスを水性成分と水素を含む粗製炭化水素成分とに分離するガス分離装置４０と、ガス分離装置４０で分離された水素を含む粗製炭化水素成分を貯留する粗製オイルタンク５０と、粗製炭化水素を当該粗製ガス炭化水素中に含まれる水素により水添分解する水添分解装置６０と、から主として構成される。
【００２４】  そして、本発明の燃料オイル製造システム１００は、ガス分離装置４０で分離した水分をバッファタンク７０に一時貯留して、従来周知の水処理により浄化して給水タンク８０に貯留する。
【００２５】  本発明における出発原料となる石炭は、目的に応じて適宜選択される。本発明においては、出発原料の石炭の組成、サイズ、低位熱容量等を予め調査しておくことが重要である。すなわち、石炭の組成、特に炭素含有量と水分含有量は、熱分解を実施する際の条件に関係するので重要である。石炭のサイズは、細かければ細かいほどよく一般には１０ｍｍ以下、より好ましくは１ｍｍ以下、さらに好ましくは５００μｍ以下である。
【００２６】  熱分解装置１０は、所定の耐圧性を有する炉内に熱分解するために９００℃から１８５０℃の所定温度に炉内を加熱する加熱手段を備えており、本発明の好ましい実施形態では、複数対、好ましくは８から３０対のプラズマ発生装置（エアプラズマ発生装置）を熱分解炉の炉体の対抗する面に配置する構成とした熱分解装置を使用する。
【００２７】  このように構成することにより、複数対のプラズマ発生装置のＯＮ／ＯＦＦにより炉内温度を高い応答性で調整することが可能となる。
【００２８】  また、熱分解装置１０に接続する過熱水蒸気発生装置２０は、８００〜１０００℃の加熱水蒸気を流量（風量）を調整しながら熱分解装置１０へ送ることが可能な加熱水蒸気発生装置である。
【００２９】  このように熱分解装置１０内へ出発原料である石炭を所定量供給し、所定量の所定温度の過熱水蒸気を過熱水蒸気発生装置２０より導入することにより、図２に示す通り、石炭ガス化反応が生じ、石炭が液化・ガス化が生じて熱分解ガスと残渣（灰分）とになり、熱分解ガスは熱分解ガス排出口１２より後段の気体精製装置３０へと送られる。
【００３０】  本発明においては、熱分解装置１０内の反応を図２に示す通り、熱分解ガスにおける水素ガスと炭化水素のガスとの容量比が１：９〜４：６となるように反応条件を調整することが重要であることを見出した。すなわち、熱分解炉に８００〜１０００℃の過熱水蒸気を前記炭素含有量および水分含有量に基づいて炭素と水のモル比が１：１〜１：３となるように添加しながら９００℃から１８５０℃の温度で酸素またはエアを吹込みながら１．３〜７Ｍｐａの圧力で反応させることにより、水素ガスと炭化水素のガスとの容量比が１：９〜４：６となることを見出した。
【００３１】  このような比率で水素ガスと炭化水素のガスが存在する熱分解ガス（以下、水素を含む粗製炭化水素ガス）を従来周知の方法で精製した後、水添分解すると、外部からの水素の添加なしで所望の燃料オイルとなる粗製炭化水素が得られることを見出した。
【００３２】  そのため、本発明の燃料オイル製造システム１００は、このようにして発生した熱分解ガスを気体精製装置３０により不純物を除去する。このような気体精製装置３０は、当該技術分野に周知の装置から適宜選択される。すなわち、気体中に含まれる粉塵を除去するためのバグフィルタ、炭酸ガス、硫黄系、窒素系の酸性ガスを除去するレクチゾル装置、スクラバ、好ましくはイオン交換スクラバ等を用いてクリーンなガスとしてガス分離装置４０へ送る。ガス分離装置４０は、水性成分と水素を含む粗製炭化水素ガスを分離する装置であり、例えばフラッシュタンクが使用される。
【００３３】  ガス分離装置４０で水分が除去された水素を含む粗製炭化水素ガスは粗製オイルタンクに一時貯留され、水添分解装置６０で触媒の存在下または不存在下で水添分解反応を行い所定の粗製オイルとして後段の粗製オイル精製ラインへと送られる。粗製オイルの精製は、例えば石油精製分野に周知の沸点により分留する方法、分留した各沸点成分を酸洗、アルカリ洗、水素化脱硫等によりさらに精製する方法で精製することができる。
【００３４】  本発明においては、ニッケル、ルテニウム、パラジウム、白金系の触媒、アダムス触媒、リンドラー触媒等の従来周知の水添触媒を使用して外部水素供給することなしに水添分解反応を実施することが可能である。
【００３５】  そのため、多大な圧力を加えて５０％程度の収率となる従来技術のＦＴ合成法（特許文献２等）と比較して、高い収率で目的とする燃料オイルを得ることができる。
【００３６】  一方、ガス分離装置４０で分離した水分をバッファタンク７０に一時貯留して、従来周知の水処理により浄化して給水タンク８０に貯留する。そのため、従来技術のスラリ法と比較して水の使用量を激減させることができる。
【００３７】  次にこのような本発明の燃料オイル製造システムを用いた燃料オイル製造方法を図３に基づいて説明する。
【００３８】  図３に示す通り、燃料オイル製造方法は、まず微粉砕された原料となる石炭を熱分解炉に投入し、前記熱分解炉に８００〜１０００℃の過熱水蒸気を前記炭素含有量および水分含有量に基づいて炭素と水のモル比が１：１〜１：３となるように添加しながら９００℃から１８５０℃の温度で酸素またはエアを吹込みながら１．３〜７Ｍｐａの圧力で発生する熱分解ガスにおける水素ガスと炭化水素のガスとの容量比が１：９〜４：６となるように調整して熱分解する（熱分解工程：工程１）。
【００３９】  次いで、工程１で発生したガスを従来公知の方法により精製する（ガス精製工程：工程２）。
【００４０】  そして、工程２で精製したガスを水性成分と、水素を含む粗製炭化水素成分とに分離する（ガス分離工程：工程３）。
【００４１】  次いで、工程３で分離された粗製炭化水素を混在する水素により水添分解する（水添分解工程：工程４）。
【００４２】  そして、工程４で水添分解された粗製炭化水素を従来周知の方法で精製して所望の燃料オイルとする（粗製炭化水素精製工程：工程５）。
【００４３】  一方、工程３で分離した水性成分は従来周知の水処理方法により浄化して（水処理工程：工程６）、過熱水蒸気用の水源として使用する。
【００４４】  このように構成することにより、石炭から少ない水の使用量で多大なエネルギを使用することなく収率よく目的とする燃料オイルを得ることが可能となる。
【００４５】  以上、本発明の実施の形態を説明したが本発明はこれらの実施形態に限定されるものではない。例えば、図４に示す通り、本発明の別の実施形態に係る燃料オイル製造システム１００’は、図１に示す燃料オイル製造システム１００において、ガス分離装置４０で分離した水素を含む粗製炭化水素をさらに水素と粗製炭化水素とに分離し、水素を水素タンク９０に貯留し、粗製炭化水素を粗製オイルタンクに貯留し、水添分解装置６０での水添分解時に所望量の水素を水素タンク９０から供給する構成となっている。
【００４６】  このように構成することにより、安定して水添分解を実施することが可能となる。
【産業上の利用可能性】
【００４７】  本発明の燃料オイルの製造方法は、石炭原料を液化して燃料オイルを製造する石炭からの燃料オイルの製造方法において、微粉砕された原料となる石炭を熱分解炉に投入し、前記熱分解炉に８００〜１０００℃の過熱水蒸気を前記炭素含有量および水分含有量に基づいて炭素と水のモル比が１：１〜１：３となるように添加しながら９００℃から１８５０℃の温度で酸素またはエアを吹込みながら１．３〜７Ｍｐａの圧力で発生する熱分解ガスにおける合成ガスと炭化水素由来のガスとの容量比が１：９〜４：６となるように調整して熱分解を行うので、炭素の熱分解反応により石炭が液化・ガス化して所定分子量の炭化水素に転化する。一方、上記条件の反応により合成ガスとして、水素、一酸化炭素を含む合成ガスが発生する。この粗製ガスと合成ガスとの比率が所定範囲となるように熱分解条件を整えることによって、後の工程の水添分離反応により少量も水の使用量で収率よく所望の燃料オイルを製造することが可能となる。しかも、外部から水素を供給することなく石炭の燃料化が行えるので非常に経済的である。【００４８】  本発明の燃料オイルの製造システムは、本発明の燃料オイルの製造方法を具現化するシステムであって、熱分解装置内で石炭を液化・ガス化して粗製炭化水素に転化するとともに粗製炭化水素に対して後段の記水添分解装置により水添分解反応を効率よく行うことができる。また、外部から水素を供給することなく石炭の燃料化が行えるので非常に経済的である。
【符号の説明】
【００４９】１０  熱分解装置
１１  原料投入口
１２  熱分解ガス排出口
１３  残渣排出口
２０  過熱水蒸気発生装置
３０  気体精製装置
４０  ガス分離装置
５０  粗製オイルタンク
６０  水添分解装置
７０  バッファタンク
８０  貯水タンク
９０  水素タンク
１００，１００’  燃料オイル製造システム
【図１】
2016148009.tif 000003
【図２】
2016148009.tif 000004
【図３】
2016148009.tif 000005
【図４】
2016148009.tif 000006